(57)【要約】  気中遮断器のカバーは、カバー本体（２０）と、カバー本体（２０）に片持ち支持され、気中遮断器における係合対象と係合する２つ以上の係合片（３）とを備える。２つ以上の係合片（３）の各々は、カバー本体（２０）の端部に基端が支持されるＶ字状の弾性部（３１）と、弾性部（３１）の先端に設けられ、係合対象と係合する突出部（３２）とを有する。
2020202569.tif 000002
【特許請求の範囲】
【請求項１】
カバー本体と、
前記カバー本体に片持ち支持され、気中遮断器における係合対象と係合する２つ以上の係合片と、を備え、
前記２つ以上の係合片の各々は、
前記カバー本体の端部に基端が支持されるＶ字状の弾性部と、
前記弾性部の先端に設けられ、前記係合対象と係合する突出部と、を有する
ことを特徴とする気中遮断器のカバー。
【請求項２】
前記２つ以上の係合片のうち少なくとも一つの係合片は、
前記弾性部を撓ませるつまみ部を備える
ことを特徴とする請求項１に記載の気中遮断器のカバー。
【請求項３】
前記カバー本体は、
前記係合対象のうち前記２つ以上の係合片が係合する第１係合部とは異なる第２係合部に、前記カバー本体が前記係合対象から取り外される際に回転可能に係合するカバー本体係合部を備え、
前記カバー本体係合部は、
前記カバー本体が前記係合対象から取り外される際に前記弾性部が前記第１係合部に近づく位置に配置される
ことを特徴とする請求項１または２に記載の気中遮断器のカバー。
【請求項４】
前記カバー本体と、前記２つ以上の係合片とを有し、前記気中遮断器の付属品を覆う第１カバーと、
前記第１カバーが取り付けられ前記係合対象である第２カバーと、を備える
ことを特徴とする請求項１から３のいずれか一つに記載の気中遮断器のカバー。
【発明の詳細な説明】
【技術分野】
【０００１】
本発明は、着脱自在に構成された気中遮断器のカバーに関する。
【背景技術】
【０００２】
従来、遮断器は、遮断器本体に取り付けられるカバーが着脱可能に設けられている。例えば、特許文献１には、遮断器本体に取り付けられるカバーを着脱可能にするために、かかるカバーにスナップフィット構造を設ける技術が開示されている。
【先行技術文献】
【特許文献】
【０００３】
【特許文献１】特開２００９−２６６４８０号公報
【発明の概要】
【発明が解決しようとする課題】
【０００４】
気中遮断器は、付属品の取り付けが可能になっており、配電盤への設置後でも付属品の交換または追加ができるように、遮断器本体からカバーを着脱できる構造を有している。かかるカバーは、遮断時に発生するガス内圧に耐えられるようにするために、複数個所がねじなどの締結部材で気中遮断器本体に締結される構造が一般的に採用されている。そのため、付属品の交換または追加を行う作業を容易に行うことが難しい。【０００５】
付属品を覆うカバーに特許文献１に記載されたスナップフィット構造を採用した場合、付属品の交換または追加を行う作業を容易に行うことができるが、遮断時に発生するガス内圧に対する固定強度が不足する可能性がある。また、このことは、付属品を覆うカバーに限らず、遮断時に発生するガス内圧が加わるその他のカバーについても同様である。【０００６】
本発明は、上記に鑑みてなされたものであって、遮断時に発生するガス内圧に対する固定強度を持たせつつ取り外しを容易に行うことができる気中遮断器のカバーを得ることを目的とする。
【課題を解決するための手段】
【０００７】
上述した課題を解決し、目的を達成するために、本発明の気中遮断器のカバーは、カバー本体と、カバー本体に片持ち支持され、気中遮断器における係合対象と係合する２つ以上の係合片とを備える。２つ以上の係合片の各々は、カバー本体の端部に基端が支持されるＶ字状の弾性部と、弾性部の先端に設けられ、係合対象と係合する突出部とを有する。
【発明の効果】
【０００８】
本発明によれば、遮断時に発生するガス内圧に対する固定強度を持たせつつ取り外しを容易に行うことができる、という効果を奏する。
【図面の簡単な説明】
【０００９】
【図１】本発明の実施の形態１にかかる気中遮断器のカバーの外観斜視図
【図２】実施の形態１にかかる気中遮断器のカバーの正面図
【図３】実施の形態１にかかる付属着脱用カバーをメインカバーから取り外す様子を示す図
【図４】実施の形態１にかかる付属着脱用カバーの係合片の外観斜視図
【図５】図２のV-V線に沿った断面図
【図６】実施の形態１にかかる付属着脱用カバーのメインカバーからの取り外し方法を説明するための図
【図７】実施の形態１にかかる付属着脱用カバーがメインカバーから取り外される際に、係合片に加わる力を説明するための断面図
【図８】実施の形態１にかかる付属着脱用カバーの係合片とメインカバーとの係合が解除された状態を示す図
【図９】図６に示す回転中心よりもケース側に回転中心があると仮定した場合に係合片の弾性部に発生する力を説明するための図
【図１０】本発明の実施の形態２にかかる気中遮断器のカバーの一例を示す図
【発明を実施するための形態】
【００１０】
以下に、本発明の実施の形態にかかる気中遮断器のカバーを図面に基づいて詳細に説明する。なお、この実施の形態によりこの発明が限定されるものではない。
【００１１】
実施の形態１．
図１は、本発明の実施の形態１にかかる気中遮断器のカバーの外観斜視図である。図２は、実施の形態１にかかる気中遮断器のカバーの正面図である。
【００１２】
図１および図２に示すように、気中遮断器のカバー１００は、ケース２００に取り付けられるメインカバー１と、メインカバー１に着脱可能に取り付けられる付属着脱用カバー２とを備える。なお、図１では、ケース２００の外形を仮想線で示しているが、ケース２００の形状は図１に示す例に限定されない。
【００１３】
また、メインカバー１は、オンボタン、オフボタン、および表示器などが配置される第１前壁部１１と、第１前壁部１１の外縁に一端が連続し、一端から他端に向けてケース２００側へ延伸する複数の側壁部１２，１３，１４，１５とを備える。また、メインカバー１は、側壁部１２の他端に一端が連続し、第１前壁部１１と平行且つ側壁部１２の他端から離れる方向に延伸する第２前壁部１６と、側壁部１３の他端に連続し、第１前壁部１１と平行且つ側壁部１３の他端から離れる方向に延伸する第３前壁部１７とを備える。
【００１４】
また、メインカバー１は、第２前壁部１６の他端に一端が連続し、一端から他端に向けてケース２００側へ延伸する側壁部１８と、第３前壁部１７の他端に一端が連続し、一端から他端に向けてケース２００側へ延伸する側壁部１９とを備える。
【００１５】
第２前壁部１６には、複数の締結部１６ａ，１６ｂが形成され、第３前壁部１７には、複数の締結部１７ａ，１７ｂが形成され、側壁部１８には、締結部１８ａが形成される。これら締結部１６ａ，１６ｂ，１７ａ，１７ｂ，１８ａとケース２００とがねじによって締結される。これにより、メインカバー１はケース２００に強固に固定され、気中遮断器の遮断時に発生するガス内圧に対する固定強度を確保することができる。
【００１６】
付属着脱用カバー２は、不図示の付属品を覆うカバー本体２０と、カバー本体２０の端部に片持ち支持される２つの係合片３とを備える。また、カバー本体２０には、メインカバー１における不図示の凸状の係合部が差し込まれる凹状の係合部４が形成されている。付属着脱用カバー２は、２つの係合片３と係合部４とによってメインカバー１に固定される。なお、不図示の付属品は、例えば、気中遮断器を遠方からオフする電圧引き外し装置、電路の電圧が基準よりも低下した場合に気中遮断器をオフにする不足電圧引き外し装置、気中遮断器のオンまたはオフ状態を電気的に表示する補助スイッチである。
【００１７】
カバー本体２０は、メインカバー１の第１前壁部１１の切欠部分に配置され且つ第１前壁部１１と同一平面上に位置する前壁部２１と、前壁部２１の上端に一端が連続し、一端から他端に向けてケース２００側へ延伸する側壁部２２と、前壁部２１の一側端に一端が連続し、一端から他端に向けてケース２００側へ延伸する側壁部２３とを備える。また、カバー本体２０は、側壁部２３の他端に一端が連続し、前壁部２１と平行且つ側壁部２３の他端から離れる方向に延伸する張り出し部２４とを備える。張り出し部２４は、第２前壁部１６と同一平面上に位置する。
【００１８】
各係合片３は、スナップフィット構造を有している。カバー本体２０に形成された凹状の係合部４にメインカバー１における不図示の凸状の係合部が差し込まれ、２つの係合片３がメインカバー１の第２前壁部１６と係合することで、付属着脱用カバー２がメインカバー１に固定される。以下、２つの係合片３と係合部４とによるメインカバー１と付属着脱用カバー２との係合について具体的に説明する。
【００１９】
図３は、実施の形態１にかかる付属着脱用カバーをメインカバーから取り外す様子を示す図である。図４は、実施の形態１にかかる付属着脱用カバーの係合片の外観斜視図である。図５は、図２のV-V線に沿った断面図である。
【００２０】
図３に示すように、マイナスドライバーなどの工具３００を用いて、付属着脱用カバー２の２つの係合片３とメインカバー１の第２前壁部１６との係合を解除することができる。
【００２１】
係合片３は、図４に示すように、張り出し部２４の他端に基端が支持されるＶ字状の弾性部３１と、弾性部３１の先端部に互いに離れた位置に設けられ、第２前壁部１６と係合する一対の突出部３２とを有する。
【００２２】
弾性部３１は、張り出し部２４の他端に基端が支持され、基端から先端に向けて張り出し部２４の延在方向と直交する方向に延伸する第１延伸部３１ａと、第１延伸部３１ａの先端に基端が連続し、第２前壁部１６に向けて折り返す折り返し部３１ｂとを有する。また、弾性部３１は、折り返し部３１ｂの先端に基端が連続し、第１延伸部３１ａと対向する領域に延伸する第２延伸部３１ｃを有する。第２延伸部３１ｃは、第１延伸部３１ａとの対向方向において、基端から先端に向かうほど第１延伸部３１ａから離れるように延伸する。
【００２３】
また、係合片３は、工具３００の先端をガイドするガイド溝３３と、工具３００の先端を引っ掛けるための引っ掛けリブ３４とを有する。ガイド溝３３および引っ掛けリブ３４は、弾性部３１の先端部のうち、一対の突出部３２が互いに対向する方向における中央部に形成される。
【００２４】
図５に示すように、第２前壁部１６のうち係合片３と対向する端部には係合部７が設けられている。かかる係合部７は、ケース２００側の面である係合面７１と、ケース２００とは逆側の面に形成され且つ先端に向かうほどケース２００側に向かって傾斜する傾斜面７２とを有する。図５に示す状態では、係合片３の突出部３２が係合部７の係合面７１に当接しており、係合片３の突出部３２は係合部７と係合した状態である。これにより、付属着脱用カバー２のメインカバー１からの取り外しが抑制される。
【００２５】
また、付属着脱用カバー２は、２つの係合片３でメインカバー１に係合されるため、メインカバー１に強固に固定され、気中遮断器の遮断時に発生するガス内圧に対する固定強度を確保することができる。なお、付属着脱用カバー２は、３つ以上の係合片３を有する構成であってもよい。また、メインカバー１のうち２つの係合片３間には締結部１６ａがねじによってケース２００に締結されるため、気中遮断器の遮断時に発生するガス内圧によって係合部７の位置が変化することを抑制できる。これによって、気中遮断器の遮断時に発生するガス内圧に対する固定強度をより確保することができる。
【００２６】
次に、付属着脱用カバー２のメインカバー１からの取り外し方法について説明する。図６は、実施の形態１にかかる付属着脱用カバーのメインカバーからの取り外し方法を説明するための図である。図６に示すように、付属着脱用カバー２がメインカバー１に取り付けられている状態では、カバー本体２０に形成された凹状の係合部４には、メインカバー１の第１前壁部１１に形成された凸状の係合部５が差し込まれている。
【００２７】
図６に示すように、付属着脱用カバー２のメインカバー１からの取り外しは、係合片３に、工具３００の先端を差し込むことによって行われる。具体的には、工具３００の先端を係合片３の図５に示すガイド溝３３に挿入することで、工具３００の先端が図５に示す引っ掛けリブ３４の位置までガイドされ引っ掛けリブ３４に引っ掛かる。この状態で、係合片３の弾性部３１が撓む方向に工具３００の先端を移動させることで、係合片３の突出部３２が係合部７から離れる方向に移動する。
【００２８】
一対の突出部３２が係合部７から離れた状態で、付属着脱用カバー２は、係合部５を回転中心として回転が可能である。付属着脱用カバー２を図６上における半時計回りに回転させることで、図６に示すように、付属着脱用カバー２をメインカバー１から取り外すことができる。
【００２９】
ここで、付属着脱用カバー２がメインカバー１から取り外される際に、係合片３に加わる力について説明する。図７は、実施の形態１にかかる付属着脱用カバーがメインカバーから取り外される際に、係合片に加わる力を説明するための断面図である。図８は、実施の形態１にかかる付属着脱用カバーの係合片とメインカバーとの係合が解除された状態を示す図である。
【００３０】
作業者が工具３００により一方の係合片３の弾性部３１を撓ませた状態で、付属着脱用カバー２が図６に示す係合部５を回転中心として回転すると、図７に示す状態になる。図７に示す状態では、一方の係合片３の弾性部３１は、係合部７によって撓ませられた状態であり、かかる弾性部３１には、仮想線で示す元の形状９に戻ろうとする力、すなわち矢印Ａの向きへの力が発生する。
【００３１】
また、付属着脱用カバー２の回転中心が図６に示す係合部５であるため、図７に示すように、付属着脱用カバー２の回転によって係合片３の弾性部３１は係合部５を中心とした円弧軌道５１を移動する。そのため、係合片３の弾性部３１は、矢印Ｂの向きに動くにつれて、傾斜面７２に近づく方向に移動する。そのため、弾性部３１における元の形状９に戻ろうとする力、すなわち弾性部３１に発生する矢印Ａの向きへの力を大きくすることができる。
【００３２】
また、上述したように、係合部７には傾斜面７２が形成されており、図７に示す状態では、傾斜面７２に弾性部３１が当接している。そのため、傾斜面７２によって係合部５を回転中心として矢印Ｂの向きに動こうとする力が発生する。矢印Ｂの向きは、係合部５を回転中心とした弾性部３１の円弧軌道５１のうち付属着脱用カバー２がメインカバー１から取り外される方向である。
【００３３】
そのため、作業者が付属着脱用カバー２から手を離した場合であっても、一方の係合片３の位置は、図７に示す位置に維持され、矢印Ｂの向きと反対方向の外力を意図的に加えない限り図５に示す位置には戻らない。
【００３４】
この状態で、他方の係合片３の弾性部３１を撓ませると、一方の係合片３に発生している矢印Ｂの向きに動こうとする力によって、矢印Ｂの向きに付属着脱用カバー２が移動する。これにより、図８に示すように、付属着脱用カバー２がメインカバー１から取り外される。これにより、２つ以上の係合片３を有する構成の付属着脱用カバー２をメインカバー１から容易に取り外すことができる。
【００３５】
なお、カバー１００は、一方の係合片３が図７に示す状態で、他方の係合片３の弾性部３１を撓ませた場合に矢印Ｂの向きに付属着脱用カバー２が移動しない構成であってもよい。この場合であっても、一方の係合片３に矢印Ｂの向きに動こうとする力が発生している。そのため、作業者は、矢印Ｂの向きに付属着脱用カバー２を移動させる力が小さくて済み、付属着脱用カバー２を容易にメインカバー１から取り外すことができる。
【００３６】
ここで、回転中心が図６に示す係合部５ではなく図６に示す端部８であると仮定する。図９は、図６に示す回転中心よりもケース側に回転中心があると仮定した場合に係合片の弾性部に発生する力を説明するための図である。
【００３７】
図９に示すように、図６に示す端部８が付属着脱用カバー２の回転中心になる場合、係合片３の弾性部３１は図６に示す端部８を中心とした円弧軌道５２を移動する。この場合、係合片３の弾性部３１は、矢印Ｃの向きに動くのに伴って、傾斜面７２から離れる方向に移動するため、矢印Ａの向きに発生する力が図７に示す場合と比べて弱い。
【００３８】
一方、図６に示す係合部５が付属着脱用カバー２の回転中心になる場合、係合片３の弾性部３１は、上述したように傾斜面７２から近づく方向に移動するため、図８に示す状態に比べ、矢印Ａの向きに発生する力が強い。そのため、実施の形態１にかかる付属着脱用カバー２は、カバー本体２０を矢印Ｂの向きへ移動させる力を高めることができる。
【００３９】
また、係合片３の弾性部３１は、Ｖ字状に形成されるため、Ｕ字状に形成される場合に比べ、撓み量を増加させることができる。そのため、係合片３の弾性部３１は、傾斜面７２から近づく方向に移動させた場合に弾性部３１における元の形状９に戻ろうとする力を増加させることができる。したがって、２つ以上の係合片３を有する構成の付属着脱用カバー２を容易にメインカバー１から取り外すことができる。
【００４０】
また、係合片３および係合部４を設ける対象を付属着脱用カバー２としたが、係合片３および係合部４は、付属着脱用カバー２に限らず、遮断時に発生するガス内圧が加わる付属着脱用カバー２以外のカバーに設けられてもよい。また、付属着脱用カバー２の係合対象は、メインカバー１に代えてケース２００であってもよい。
【００４１】
なお、上述した例では、係合部４は凹状に形成され、係合部５は凸状に形成されるが、かかる例に限定されない。例えば、カバー１００は、係合部４が凸状に形成され、係合部５が凹状に形成される構成であってもよい。
【００４２】
以上のように、カバー１００の付属着脱用カバー２は、カバー本体２０と、カバー本体２０に片持ち支持され、気中遮断器における係合対象であるメインカバー１と係合する２つ以上の係合片３とを備える。各係合片３は、カバー本体２０の端部に基端が支持されるＶ字状の弾性部３１と、弾性部３１の先端に設けられ、係合対象と係合する突出部３２とを有する。このように、付属着脱用カバー２は、２つの係合片３でメインカバー１に係合されるため、メインカバー１に強固に固定され、気中遮断器の遮断時に発生するガス内圧に対する固定強度を確保することができる。また、係合片３は、スナップフィット構造であることから、付属品の交換または追加をする際に付属着脱用カバー２の脱着を容易に行うことができる。また、係合片３の弾性部３１は、Ｖ字状に形成されるため、撓み量を増加させることができる。そのため、例えば、弾性部３１における元の形状９に戻ろうとする力を増加させることができ、付属着脱用カバー２を取り外す方向へ移動させる力が大きくなるので、２つ以上の係合片３を有する構成の付属着脱用カバー２をメインカバー１から容易に取り外すことができる。
【００４３】
また、カバー本体２０は、メインカバー１のうち２つ以上の係合片３が係合する係合部７とは異なる係合部５に、カバー本体２０がメインカバー１から取り外される際に回転可能に係合する係合部４を備える。係合部７は、第１係合部の一例であり、係合部５は第２係合部の一例であり、係合部４は、カバー本体係合部の一例である。係合部４は、カバー本体２０がメインカバー１から取り外される際に係合片３の弾性部３１が係合部７に近づく位置に配置される。これにより、メインカバー１から付属着脱用カバー２を取り外す方向にカバー本体２０を移動させる力を高めることができる。そのため、２つ以上の係合片３を有する構成の付属着脱用カバー２を容易にメインカバー１から取り外すことができる。
【００４４】
また、カバー１００は、カバー本体２０と２つ以上の係合片３とを有し、気中遮断器の付属品を覆う付属着脱用カバー２と、付属着脱用カバー２が取り付けられるメインカバー１とを備える。付属着脱用カバー２は、第１カバーの一例であり、メインカバー１は、第２カバーの一例である。これにより、カバー１００を部分的に取り外すことができ、カバー１００全体を取り外す場合に比べ、付属品の交換または追加を容易に行うことができる。
【００４５】
実施の形態２．
実施の形態２にかかる気中遮断器のカバーは、係合片につまみ部を有する点で、実施の形態１にかかる気中遮断器のカバーと異なる。以下においては、実施の形態１と同様の機能を有する構成要素については同一符号を付して説明を省略し、実施の形態１のカバー１００と異なる点を中心に説明する。図１０は、本発明の実施の形態２にかかる気中遮断器のカバーの一例を示す図である。
【００４６】
図１０に示すように、実施の形態２にかかる気中遮断器のカバー１００Ａは、メインカバー１と、付属着脱用カバー２Ａとを備える。付属着脱用カバー２Ａは、カバー本体２０と、係合片３Ａとを備える。係合片３Ａは、メインカバー１に付属着脱用カバー２Ａに取り付けられた状態でメインカバー１の外方に突出し、作業者が指でつまむことができるつまみ部３５を有する点で、係合片３と異なる。なお、付属着脱用カバー２Ａには、係合片３Ａが２つ以上設けられる。
【００４７】
つまみ部３５は、弾性部３１の先端に基端が連続し、図１０に示す状態において先端が第２前壁部１６から突出する。作業者は、つまみ部３５をつまんでカバー本体２０に向かう方向へ移動させることによって、係合片３Ａの弾性部３１と第２前壁部１６の係合部７との係合を解除することができる。なお、付属着脱用カバー２Ａにおいて、つまみ部３５は、各係合片３Ａに設けられるが、つまみ部３５は、２つ以上の係合片３Ａのうち少なくとも一つに設けられる構成であってもよい。
【００４８】
以上のように、実施の形態２にかかるカバー１００Ａの付属着脱用カバー２Ａにおいて、２つ以上の係合片３Ａのうち少なくとも一つの係合片３Ａは、弾性部３１を撓ませるつまみ部３５を備える。これにより、付属着脱用カバー２Ａとメインカバー１との係合を容易に解除することができる。そのため、付属着脱用カバー２Ａを容易にメインカバー１から取り外すことができる。
【００４９】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５０】
１  メインカバー、２，２Ａ  付属着脱用カバー、３，３Ａ  係合片、４，５，７  係合部、８  端部、９  形状、１１  第１前壁部、１２，１３，１４，１５，１８，１９，２２，２３  側壁部、１６  第２前壁部、１６ａ，１６ｂ，１７ａ，１７ｂ，１８ａ  締結部、１７  第３前壁部、２０  カバー本体、２１  前壁部、２４  張り出し部、３１  弾性部、３１ａ  第１延伸部、３１ｂ  折り返し部、３１ｃ  第２延伸部、３２  突出部、３３  ガイド溝、３４  引っ掛けリブ、３５  つまみ部、５１，５２  円弧軌道、７１  係合面、７２  傾斜面、１００，１００Ａ  カバー、２００  ケース、３００  工具、Ａ，Ｂ，Ｃ  矢印。
【図１】
2020202569.tif 000003
【図２】
2020202569.tif 000004
【図３】
2020202569.tif 000005
【図４】
2020202569.tif 000006
【図５】
2020202569.tif 000007
【図６】
2020202569.tif 000008
【図７】
2020202569.tif 000009
【図８】
2020202569.tif 000010
【図９】
2020202569.tif 000011
【図１０】
2020202569.tif 000012
【国際調査報告】
2020202569.tif 000013
2020202569.tif 000014
2020202569.tif 000015